【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
システムであって、
リンク層ビーコン時間スタンプ格納とリンク層クロックとを有するリンク層であって、前記リンク層ビーコン時間スタンプ格納がワイヤレスネットワークから受信したビーコン時間スタンプを格納する、前記リンク層と、
前記リンク層ビーコン時間スタンプ格納に結合されて前記リンク層ビーコン時間スタンプ格納からの前記ビーコン時間スタンプを格納するプロセッサビーコン時間スタンプ格納と、前記リンク層クロックから分離されているプロセッサクロックとを有するプロセッサであって、リンク層時間スタンプの捕捉を開始するために前記リンク層に結合される出力ポートと、前記リンク層から前記リンク層時間スタンプを受信するために前記リンク層に結合される入力ポートとを含む、前記プロセッサと、
プロセッサ時間スタンプと前記入力ポートとに結合されるシンクロナイザーであって、前記プロセッサ時間スタンプと前記リンク層時間スタンプとの間の差を演算することによって時間オフセット値を決定し、前記リンク層に格納された前記ビーコン時間スタンプに対して前記プロセッサを同期させるために前記時間オフセット値を前記プロセッサ時間スタンプと組み合わせる、前記シンクロナイザーと、
前記リンク層時間スタンプが、前記ビーコン時間スタンプが格納されてから前記リンク層により観察されるような経過した時間の総量であり、前記プロセッサ時間スタンプが、前記ビーコン時間スタンプが前記プロセッサビーコン時間スタンプ格納に格納された時間を前記プロセッサが進んで過ぎたクロックサイクルにおける時間差の総量である、システム。
【請求項２】
請求項１に記載のシステムであって、
前記リンク層において受信された前記ビーコン時間スタンプに対して前記プロセッサクロックを同期させるために、前記時間オフセット値が前記プロセッサ時間スタンプに加算されるか又は前記プロセッサ時間スタンプから減算される、システム。
【請求項３】
請求項１に記載のシステムであって、
前記リンク層が、前記リンク層時間スタンプを前記プロセッサ上の前記入力ポートに送信するためのリンク層出力ポートを含む、システム。
【請求項４】
請求項１に記載のシステムであって、
前記ビーコン時間スタンプが、前記ビーコンが前記リンク層により受信された前記時間と、ビーコンシーケンス番号とを含み、
前記時間オフセット値が、アプリケーションのための開始コマンドを形成するために前記プロセッサにより前記ビーコンシーケンス番号と組み合わされる、システム。
【請求項５】
請求項４に記載のシステムであって、
前記プロセッサにより制御されるアプリケーション層であって、ワイヤレスデバイス上の前記ワイヤレスネットワークにわたって動作する少なくとも１つの他のアプリケーションにアプリケーションのオペレーションを同期させるために前記開始コマンドを利用する、前記アプリケーション層を更に含む、システム。
【請求項６】
請求項５に記載のシステムであって、
前記アプリケーションと前記少なくとも１つの他のアプリケーションとが、同じビーコンシーケンス番号と時間オフセット値とに対するワイヤレスオーディオデータを受信するように同期される少なくとも２つのスピーカーを有する同期されたワイヤレスオーディオアプリケーションである、システム。
【請求項７】
請求項５に記載のシステムであって、
前記アプリケーションと前記少なくとも１つの他のアプリケーションとが、同じビーコンシーケンス番号と時間オフセット値とに対するマスター制御デバイスからのワイヤレス制御データを受信するように同期される少なくとも２つのスレーブデバイスを有する同期されたワイヤレスコントローラシステムである、システム。
【請求項８】
請求項５に記載のシステムであって、
前記アプリケーションと前記少なくとも１つの他のアプリケーションとが、同じビーコンシーケンス番号と時間オフセット値とに対するワイヤレスビデオデータを受信するように同期される少なくとも２つのビデオデバイスを有する同期されたワイヤレスビデオシステムである、システム。
【請求項９】
請求項１に記載のシステムであって、
前記ビーコン時間スタンプが、ワイヤレスアクセスポイントにより生成される、システム。
【請求項１０】
方法であって、
リンク層においてワイヤレスネットワークからビーコン時間スタンプを受信することと、
前記ビーコン時間スタンプを受信することに応答して前記リンク層に前記ビーコン時間スタンプを格納することと、
前記ビーコン時間スタンプを前記リンク層からプロセッサにコピーすることと、
前記リンク層に格納されているリンク層時間スタンプの捕捉を開始するためにインタラプトを生成することと、
プロセッサ時間スタンプを捕捉することと、
前記プロセッサ時間スタンプと前記リンク層時間スタンプと間の差を演算することによって時間オフセット値を決定することと、
前記プロセッサを前記リンク層で受信された前記ビーコン時間スタンプに同期させるために前記時間オフセット値を前記プロセッサ時間スタンプに組み合わせることと、
を含み、
前記リンク層時間スタンプが、前記ビーコン時間スタンプが格納されてから前記リンク層により観察されるような経過した時間の総量であり、前記プロセッサ時間スタンプが、前記ビーコン時間スタンプが前記プロセッサにコピーされた時間を前記プロセッサが進んで過ぎたクロックサイクルにおける時間差の総量である、方法。
【請求項１１】
請求項１０に記載の方法であって、
前記格納することが、前記ビーコン時間スタンプが前記リンク層により受信された前記時間と、ビーコンシーケンス番号とを格納することを含む、方法。
【請求項１２】
請求項１０に記載の方法であって、
前記組み合わせることが、アプリケーションのための開始コマンドを形成するために前記時間オフセット値をビーコンシーケンス番号に組み合わせることを含む、方法。
【請求項１３】
請求項１０に記載の方法であって、
前記時間オフセット値を前記プロセッサ時間スタンプに組み合わせることに応答してアプリケーションのための開始コマンドを形成することを更に含む、方法。
【請求項１４】
請求項１３に記載の方法であって、
前記開始コマンドを用いて、前記ワイヤレスネットワーク上のワイヤレスデバイス内の少なくとも１つの別のアプリケーション・オペレーションに前記アプリケーションを同期させることを更に含む、方法。
【請求項１５】
請求項１３に記載の方法であって、
ワイヤレスオーディオデータを受信するために少なくとも２つのスピーカを有するワイヤレスオーディオシステム内の少なくとも１つの別のアプリケーションに前記アプリケーションを同期させることを更に含む、方法。
【請求項１６】
請求項１３に記載の方法であって、
前記開始コマンドを用いて、マスター制御デバイスからワイヤレス制御データを受信するために少なくとも２つのスレーブ・デバイスを有するワイヤレス・コントローラ・システム内の少なくとも１つの別のアプリケーションに前記アプリケーションを同期させることを更に含む、方法。
【請求項１７】
請求項１３に記載の方法であって、
前記開始コマンドを用いて、ワイヤレスビデオデータを受信するために少なくとも２つのデバイスを有するワイヤレスビデオシステム内の少なくとも１つの別のアプリケーションに前記アプリケーションを同期させることを更に含む、方法。
【請求項１８】
請求項１０に記載の方法であって、
ワイヤレスアクセスポイントからの前記ビーコン時間スタンプを生成することを更に含む、方法。